(57)【特許請求の範囲】
【請求項１】
間隔を空けて配置された一対の基部と、
前記基部の前方の両側端部に連結され、当該基部の両側端部から後方に傾斜するように
立設された一対の支柱と、
電子黒板装置、モニター、テレビのいずれかである表示装置を支持し、該表示装置を使
用する際の高さ位置を調整可能に前記支柱に取り付けられる支持部と、を有し、
前記基部の後方側には、重量部が設けられ、
前記支柱は、
溝型形状の第１部材と第２部材を嵌め合せて形成される矩形状のコア部と、
前記コア部に取り付けられるカバー材と、を備え、
前記コア部は下方に向かって幅広になるように形成されていることを特徴とするスタンド。
【請求項２】
前記重量部は、
前記一対の基部の中央近傍位置に架設された前方横架材と、当該一対の基部の後端側に
架設された後方横架材と、当該前方横架材と後方横架材の上面に設置されたパネル材とを
有していることを特徴とする請求項１に記載したスタンド。
【請求項３】
前記重量部は、
前記スタンドの重心位置を後方位置に調整可能な調整機構を有していることを特徴とす
る請求項１又は２に記載したスタンド。
【請求項４】
前記支柱は、
前記基部と折り畳み機構を介して連結されており、
前記折り畳み機構は、
前記支柱と前記基部のうち一方の側に設けられた回転軸部材と、
前記支柱と前記基部のうち一方の側に設けられた第１係止部材と、
前記支柱と前記基部のうち他方の側に設けられ前記回転軸部材が挿通する長穴と、
前記支柱と前記基部のうち他方の側に設けられた第２係止部材と、を有し、
前記回転軸部材が前記長穴の下端部である第１位置に配置された状態において、前記第
１係止部材と前記第２係止部材とが係止することにより、前記回転軸部材を回転軸とする
前記支柱と前記基部との回転をロックして前記支柱の立設状態を保持し、
前記回転軸部材が前記長穴の上端部である第２位置に配置された状態において、前記第
１係止部材と前記第２係止部材との係止が解除され、前記回転軸部材を回転軸とする前記
支柱と前記基部との回転のロックを解除して前記支柱の立設状態を解除する
ことを特徴とする請求項１〜３の何れか一項に記載したスタンド。
【発明の詳細な説明】
【技術分野】
【０００１】
本発明は、表示装置を懸架するスタンドに関する。
【背景技術】
【０００２】
従来、会議や授業などで利用されるインタラクティブ・ホワイトボード（Ｉｎｔｅｒａｃｔｉｖｅ  Ｗｈｉｔｅｂｏａｒｄ：ＩＷＢ）所謂電子黒板装置やモニターなどの表示装置を自立させる場合、専用のスタンドが用いられている。
【０００３】
そうしたスタンドとして、例えば電子黒板装置を支持する一対の支柱と、当該支柱の下端部とＴ字状に連結して支柱を立設させる水平脚部と、電子黒板装置を上下方向に昇降させる昇降機構を有する構成が開示されている（例えば、特許文献１参照）。前記した支柱を立設させる水平脚部は、電子黒板装置の表示面に対して直交する方向に連結されている。
【０００４】
また、折り畳み機構を有するスタンドとして、例えば電子黒板装置を支持する一対の前支柱と、当該前支柱と開脚保持部により連結された後支柱とを有し、前記前支柱と後支柱を回動させて折り畳み可能な構成が開示されている（例えば、特許文献２参照）。前記した前支柱と後支柱とは、互いの距離が頂部から下方に向かって広がる逆Ｖ字状に傾斜する様態で連結されており、前支柱の所定高さ位置に電子黒板装置を支持する構成である。
【発明の概要】
【発明が解決しようとする課題】
【０００５】
上記特許文献１のスタンドは、電子黒板装置の高さ位置を調整可能であるという利点がある。しかし、支柱を立設させる水平脚部が電子黒板装置の表示面に対して直交する方向に延びているため、利用者が電子黒板装置の前に立って操作する際に邪魔であり、躓いて転倒するなどの危険があった。
【０００６】
特許文献２のスタンドは、前支柱と後支柱が逆Ｖ字状に傾斜する様態で立設しているため、前支柱に支持された電子黒板装置の前に操作者の邪魔及び危険となる部材が突出せず、操作性と安全性を確保している。しかし、電子黒板装置の高さ位置を調整する機能は有していない。これは、電子黒板装置の高さ位置を調整すると、不安定になってしまうからである。
【０００７】
そこで、本実施形態の一つの目的は、上記課題点に鑑み、操作性と安全性を確保し、且つ安定性を確保して表示装置の高さ位置を調整可能なスタンドを提供することにある。
【課題を解決するための手段】
【０００８】
上記課題に鑑み、本発明のスタンドの一つの実施形態において、
間隔を空けて配置された一対の基部と、
前記基部の前方の両側端部に連結され、当該基部の両側端部から後方に傾斜するように
立設された一対の支柱と、
電子黒板装置、モニター、テレビのいずれかである表示装置を支持し、該表示装置を使
用する際の高さ位置を調整可能に前記支柱に取り付けられる支持部と、を有し、
前記基部の後方側には、重量部が設けられ、
前記支柱は、
溝型形状の第１部材と第２部材を嵌め合せて形成される矩形状のコア部と、
前記コア部に取り付けられるカバー材と、を備え、
前記コア部は下方に向かって幅広になるように形成されている。
【発明の効果】
【０００９】
本発明によれば、操作性と安全性を確保でき、且つ安定性を確保して表示装置の高さ位置を調整可能なスタンドを提供できる。
【図面の簡単な説明】
【００１０】
【図１】本実施形態に係るスタンドの正面側から見た上方斜視図である。
【図２】本実施形態に係るスタンドの背面側から見た上方斜視図である。
【図３】本実施形態に係るスタンドの底面図である。
【図４】本実施形態に係るスタンドの側面図である。
【図５】本実施形態に係るスタンドを構成する支柱の部分拡大図である。
【図６】本実施形態に係るスタンドを構成する棚部を折り畳んだ状態を示す背面斜視図である。
【図７】棚部の設置状態と折り畳み状態を説明する図である。
【図８】折り畳み機構の概要を説明する透過拡大図である。
【図９】本実施形態に係るスタンドを折り畳んだ状態の一例を示す側面図である。
【図１０】支柱の下端部に設けられた転倒防止金具の構成を示す部分拡大図である。
【図１１】基部の後端部に設けられた転倒防止金具の構成を示す部分拡大図である。
【発明を実施するための形態】
【００１１】
以下、図面を参照して本発明に係るスタンドの実施形態を説明する。尚、以後の説明において、添付の全図面の記載の同一又は対応する部材又は部品には、同一又は対応する参照符号を付し、重複する説明を省略する。また、図面は、部材もしくは部品間の相対比を示すことを目的としない。したがって、具体的な寸法は、以下の限定的でない実施形態に照らし、当業者により決定することができる。また、本実施形態のスタンドが懸架する表示装置として、電子黒板装置を例に取り説明する。勿論、テレビやモニターなどの表示装置を同様の構成で実施することができる。
【００１２】
図１は本実施形態に係るスタンドの正面Ｆ側から見た上方斜視図である。図２は図１のスタンドの背面Ｂ側から見た上方斜視図である。図３は図１のスタンドの底面図である。図４は図１のスタンドの側面図である。
本実施形態のスタンド１は、電子黒板装置１００を架設するための専用の小型スタンドである。本明細書中の電子黒板装置１００とは、例えば描いた内容を電子的に変換できるボードを指している。図示例では、説明の関係上電子黒板装置１００は図２、図４において点線で示した。また表示面は正面Ｆ側に存在する。
【００１３】
スタンド１は、一定の間隔を空けて配置された一対の基部２と、当該基部２の電子黒板装置１００の正面Ｆ側（前方）の両側端部に連結され、当該基部２の両側端部から後方に傾斜するように立設された一対の支柱３と、当該支柱３と高さ位置を調整可能に接続される、電子黒板装置１００を支持する支持部８を基本構成としている。
【００１４】
一対の基部２の底面であって、その前方位置と後方位置には車輪１１が設けられて床面Ｇ上（図４参照）を移動可能な構成とされている。勿論、車輪１１を設けずに実施することも可能である。
【００１５】
一対の基部２は、図３に示すように背面Ｂ側の後端部同士が連結材２０により連結されている。因みに前端部側には連結材を配置しない構成としている。これは、操作者が電子黒板装置１００の前に立って操作する際、操作者の足下になるべく邪魔になる部材が存在しないようにして安全性を確保するためである。
【００１６】
また、一対の基部２の背面Ｂ側の後方位置（中央位置より後方）には、重量部２００が設けられている。重量部２００は、一対の基部２の略中央位置の内側壁面の間に架設された前方横架材４と、基部２の後端側（背面Ｂ側）の内側壁面の間であって前記した連結材２０よりも若干前側に架設された後方横架材５と、当該前方横架材４と後方横架材５の上面に設置されたパネル材１０とにより構成されている。重量部２００の各部材は図示を省略したボルト・ナットによりそれぞれ接合されている。この重量部２００のパネル材１０は、図１に示すように、パネル材１０の前面部（正面Ｆ側の側面部）が支柱３より前方に突出しないように一体化されている。これは、スタンド１に懸架された電子黒板装置１００を操作する際に、パネル材１０の前面部が突出していると操作者の足と干渉してしまう虞があるためである。
【００１７】
基部２の後方寄りに配置した重量部２００は、様々な種類の電子黒板装置１００を懸架しても転倒しないように、重心を後方端部に持ってくる役目を果たしている。したがって、重量部２００には、重量のある電子黒板装置１００であっても対応できるように、相当の重量を有することが求められる。
その為、前方横架材４、後方横架材５は、例えば板厚が１．６ｍｍ以上を有し、重さが約１．４１ｋｇ以上を有している。材質は、例えば冷間圧延鋼板（ＳＰＣＣ：Steel Plate Cold Commercial）であることが好ましい。またパネル材１０は、板厚が２．０ｍｍ以上有し、重さが６．６８ｋｇ以上を有している。すると、重量部２００の総重量は約８．０〜１０.０ｋｇとなり、重量のある電子黒板装置１００であっても転倒する虞が無い。
【００１８】
上記した本発明の重量部２００は、基本的にはスタンド１を構成する基部２の補強枠材として構成される部材から成るため、特別な専用部材が必要なくシンプルな構造で実施できる。
【００１９】
図示した重量部２００のパネル材１０は、前方横架材４と後方横架材５と固定されている状態を示しているがこの限りではない。重量部２００は、重心位置を更に後方へ調整可能な重心調整機構を有していても良い。図示することは省略したが、前方横架材４と後方横架材５の上面であって対峙する基部２の内側側面にスライドレールを設置し、当該スライドレールにパネル材１０を嵌め合わせて、当該パネル材１０を更に後方へ（背面Ｂ側方向）スライド移動させることで重心位置を調整する構成としても良い。すると、電子黒板装置１００の重量や高さ位置に合わせて微小な重心調整を、パネル材１０のスライドにより行って常に高い安定性を確保できる。重心位置の調整機構としては、上記の限りではなく他の手法により調整しても良い。例えば前方横架材４と後方横架材５の部品が他の部品と交換可能となっており、重心位置が調整できる手法などがある。
【００２０】
次に支柱３の構成と、支柱３に連結（付加）される各部材の説明を図面に基づいて行う。
支柱３は、前記した基部２の前方の両側端部に連結され、当該基部２の両側端部から後方に傾斜するように立設されている。支柱３の側面は、図４の側面図に示すように下方に向かって幅広になる形状に形成されている。したがって、重心が下になり安定性を確保することに寄与できる。また、支柱３は図示例では直線形状であるがこの限りではなく、アーチ型形状であっても良い。
【００２１】
図５に、支柱３の部分拡大図を当該支柱３の内側位置から見た図を示した。支柱３は、外側部材３０と、内側部材３１と、当該外側部材３０の外周に配置されるカバー材３２とを備えている。
外側部材３０と内側部材３１は溝型形状を有しており、それぞれの開口部を対峙させる様態で且つ互いの側壁部３０ａと側壁部３１ａとが重なるように嵌め合せて矩形状のコア部３００を形成している。外側部材３０の正面Ｆ側の側壁部３０ａには接続片３０ｂが連結されている。したがって、外側部材３０と内側部材３１とが嵌め合わされる際、外側部材３０の正面Ｆ側の側壁部３０ａは、内側部材３１の正面Ｆ側の側壁部３１ａの上面（外周面）に重なる位置関係で嵌め合わされる。
【００２２】
そして、コア部３００の外側（外側部材３０の外周）にカバー材３２が接合される。即ち、前記外側部材３０の接続片３０ｂとカバー材３２の正面Ｆ側に連結された接続片３２ａとが重ね合される。そして、カバー材３２の背面Ｂ側に連結された接続片３２ｂと内側部材３１の背面Ｂ側の側壁部３１ａとが重ね合され、両者をボルト接合してカバー材３２が取り付けられる。カバー材３２は、全体形状がＬ字状に折れ曲がるプレートを使用しているが、この限りではない。前記した３つの部材が接合されることで、矩形状の中空部を有する剛性の高い支柱３を構成できる。また、支柱３は上記のように３つの部材から構成される必要は無く、一本の支柱材により構成されていても良い。
【００２３】
上記した支柱３は、図４から明らかなように、その下端部３ａから上端部３ｂにかけて、正面Ｆ側から背面Ｂ側に向かって傾斜する様態で基部２と連結されている。傾斜角θは、電子黒板装置１００を取り付けた際の重心位置の観点から、最適角は２２°であり、２２±３°の範囲内に設定されることが好ましい。この範囲内であれば、電子黒板装置１００の高さ位置を変えた場合でも、全ての高さ位置において、転倒に至る床面傾斜角を、１０°以上の安全な領域に設定することができる。
【００２４】
上記構成とされた支柱３の上方位置には、図１、図２に示すように当該支柱３同士を連結する上位連結部材６が架設されている。また、支柱３の中央位置より少し下方に、支柱３同士を連結する下位連結部材７が架設されている。下位連結部材７が、支柱の下方位置ではなく、中央位置より少しだけ下方に架設されている理由は、上記したように操作者が電子黒板装置１００を操作する際、足下（下方位置）に障害となる部材を最小限にして、安全性を確保するためである。
【００２５】
前記した上位連結部材６と下位連結部材７とは、支柱３を構成する内側部材３１とボルト接合することで支柱３間に連結される。
【００２６】
また、支柱３の下端部３ａには、パッキン１２が取り付けられており、操作者の足が支柱３に接触した場合の衝撃を緩和することができる。
【００２７】
更に、前記した支柱３の立設状態を保持するために、支柱３と基部２の間をつなぐ補強金具１４がボルト接合により取り付けられている。この補強金具１４は、上位連結部材６に荷重が加わった場合、また電子黒板装置１００を懸架した場合に支柱３が倒れないように強度を確保するためである。
【００２８】
次に、２本の支柱３間に付加される部材について説明する。支柱３の間には、電子黒板装置１００を支持する支持部８と、パーソナルコンピュータやプリンタなどを載置可能な棚部９が付加される。
【００２９】
先ず、支持部８について説明する。図１、図２に示すように、支持部８は、形状の異なる複数の開口部８０ａを有する支持プレート８０と、支持プレート８０の右側端部（正面Ｆ側）と支柱３の内側部材３１とを接続する第１接続部材８１と、支持プレート８０の左側端部と支柱３の内側部材３１とを接続する第２接続部材８２とを有している。支持部８は更に、電子黒板装置１００の裏面（表示部の裏側）に取付けられ、前記開口部８０ａに嵌め合わせ（又は掛け止め）可能な２本のブラケット部材８３を有している。
【００３０】
支持プレート８０は、電子黒板装置１００の裏面に取付けられた２本のブラケット部材８３と開口部８０ａとを嵌め合わせることで電子黒板装置１００を支持する。因みに、ブラケット部材８３は、切欠き部を有して各開口部８０ａと嵌め合わせ可能な形状に形成されている。支持プレート８０の開口部８０ａは複数設けられているため、適切な開口部８０ａを選択してブラケット部材８３と嵌め合わせることで、電子黒板装置１００をスタンド１の中央位置に配置することができる。
【００３１】
前記した第１接続部材８１は支持プレート８０の右側端部と、第２接続部材８２は支持プレート８０の左側端部と連結されている（図１参照）。支持プレート８０は、その上方が若干後方へ傾くように傾斜を付けて支持されている。これは、重量のある電子黒板装置１００を懸架した際に、電子黒板装置１００の下方側が鉛直線より内側へ傾斜し、前のめりの状態で懸架されることを防止するためである。支持プレート８０の後方への傾斜角は例えば１．３９°〜１．４３°であることが好ましく、１．４１°がより好ましい。
【００３２】
次に、支持部８を支柱３へ取り付ける構成を説明する。
前記した第１接続部材８１と第２接続部材８２には、それぞれ支柱３の内側部材３１と連結する接続片８１ａ、接続片８２ａが設けられている。図面の関係上第２接続部材８２の接続片８２ａのみを図示しているが、第１接続部材８１の接続片８１ａも同じである。したがって、以下、第２接続部材８２の接続片８２ａのみを説明する。
【００３３】
図２に示すように、第２接続部材８２の接続片８２ａは、上下方向に間隔を空けて二か所設けられており、符号省略のボルト孔をそれぞれ有している。支柱３の内側部材３１の壁面には、前記接続片８２ａのボルト孔と対応する位置関係に、複数のボルト孔３１０（図１も参照）が設けられている。図示例では上下方向に例えば５乃至６つのボルト孔３１０が設けられているが、その個数は適宜変更される。
【００３４】
したがって、接続片８２ａの各ボルト孔と、支柱３の内側部材３１に設けられた複数のボルト孔３１０の何れか２つとを一致させボルト接合することで支柱３へ取り付け（付加）られる。第１接続部材８１においても同様に接続される。ボルト接合する際、接続片８１ａと接続片８２ａの各ボルト孔と一致させる内側部材３１のボルト孔３１０を適切に選択することで、電子黒板装置１００の高さ位置を調整できる。
【００３５】
したがって、電子黒板装置１００の大きさや重量を鑑みて適切な高さ位置に支持させて、安定性を確保すると共に、操作者や見る人を考慮した最適な環境で会議や授業を行える。前記した支持部８の高さ調整は、ボルト孔の位置を変える構成であったが、スライド部材を用いたスライド構造であっても良い。
因みに、支柱３の内側側面部にクランプ１３を取り付けることにより、支持部８により支持された電子黒板装置１００の電源ケーブルや出力ケーブルを結束することができる。このことにより、ケーブル類が邪魔になることがなく、すっきりした印象のデザインを損ねることがない。勿論、電源ケーブルや出力ケーブルを支柱３内に収納することも適宜可能である。その場合、支柱３の所定の箇所に挿通孔が設けられる。
【００３６】
次に、棚部９について特に図１、図２、図６、図７に基づいて説明する。図６はスタンド１を構成する棚部９を折り畳んだ状態を示す背面斜視図である。図７は棚部９の設置状態と折り畳み状態を説明する図である。
棚部９は、棚板９０と、当該棚板９０の裏面に取付けられた補強材９１と、棚板９０を支柱３の内側部材３１と連結させるブラケット部材９２とを有している。
【００３７】
棚板９０は、パーソナルコンピュータやプリンタなどを載置可能な剛性を有する板であれば良い。補強材９１は、棚板９０の長手方向と平行するように２本取り付けられているが、この限りではなく、棚板９０の長手方向と直交するように２本取り付けられていても良い。補強材９１は角パイプ材など棚板９０上に備品が載置された際に、棚板９０が変形しない強度を発揮するものであれば良い。
【００３８】
ブラケット部材９２は、略直角三角形状に形成された支持プレート９２ａと、支柱３の内側部材３１と接続される接続プレート９２ｂとを有している（図７（Ａ）参照）。設置状態において支持プレート９２ａの直角を成す２辺のうち長手側の水平部は、棚板９０の裏面とボルト接合（図示省略）されている。また、直角を成す２辺のうち短手側の垂直部は、接続プレート９２ｂと連結されている。
【００３９】
接続プレート９２ｂには、ボルト孔９２０とボルト孔９２１が設けられている。ボルト孔９２０は、円形又は長円形でありボルト９００を差し入れ可能な径を有している。一方ボルト孔９２１は、所謂長孔であり、円弧状に湾曲する湾曲部９２１ａと、湾曲部９２１ａの下端部から直交して延びる垂直部９２１ｂを有し、ボルト９０１を差し入れ且つ長孔の軸方向に移動可能な形状とされている。
【００４０】
上記したボルト孔９２１は、長孔である故に、後述するがスタンド１を折り畳む際に、棚部９を図６に図示した如く支柱３の奥行き（Ｆ−Ｂ方向）内に収まる様態で折り畳むことに寄与する。以下、その点を図７に基づいて説明する。
【００４１】
図７（Ａ）は、棚部９を設置状態（備品を載置可能な状態）を示している。図７（Ｂ）は、棚部９を折り畳んだ状態を示している。
図７（Ａ）に示すように、棚部９の設置状態においては、上記した接続プレート９２ｂのボルト孔９２０と内側部材３１のボルト孔３１１（図示左側）とを一致させ、ボルト９００をボルト孔９２０から差し込んでボルト接合されている。また、ボルト孔９２１と内側部材３１のボルト孔３１２（図示右側）とは、ボルト孔９２１の湾曲部９２１ａの上端位置にボルト孔３１２が来るように一致させ、ボルト９０１をボルト孔９２１の湾曲部９２１ａの上端位置へ差し込んでボルト接合する。すると、棚部９を設置状態に固定できる。
【００４２】
棚部９を図７（Ａ）の設置状態から図７（Ｂ）の状態に折り畳むには、先ずボルト９００を少し緩める。そして、ボルト９０１については当該ボルト９０１がボルト孔９２１内をスライド移動可能に十分に緩める。その後、棚部９を前記ボルト９００を支点にして上方へ持ち上げて、図７（Ｂ）に示すように、ボルト９０１をボルト孔９２１の湾曲部９２１ａの上端位置から垂直部９２１ｂの下端位置（先端位置）まで移動させる。その状態で再びボルト９００及びボルト９０１を強固に締め付けると、棚部９は支柱３の奥行き内に収まる形で折り畳まれるのである。
上記したように、棚部９が支柱３の奥行き内に収まるので、後述するスタンド１を折り畳んだ際に、棚部９が他の部材（基部２）と干渉すること防ぐことができる。
【００４３】
＜折り畳み機構＞
次に、スタンド１の折り畳み機構について説明する。この折り畳み機構は、図８に示すように支柱３が回動して折り畳まれる構成である。図８は支柱３と基部２の連結部分を拡大した説明図である。図８（Ａ）は、スタンド１の使用状態（立設状態）における支柱と基部との関係を示した部分拡大図である。図８（Ｂ）は、支柱を上方へ持ち上げた時の支柱と基部との関係を示した部分拡大図である。図８（Ｃ）は、スタンド１を折り畳んだ際の支柱と基部との関係を示した部分拡大図である。因みに、図８（Ａ）〜図８（Ｃ）は、折り畳み構成を説明するため一部を透過させている。
【００４４】
前記した支柱３は、前記した基部２と折り畳み機構を介して連結されている。この折り畳み機構は基部２と外側部材３０との各部材関係によって構成されている。
【００４５】
折り畳み機構を構成する基部２は、上方に開口部を有する溝型形状に形成された脚部材２１と、当該脚部材２１の外周面を覆うカバー材２３を有している。
【００４６】
脚部材２１は、底面部の両端部から直角に立設する２つの側壁部２１ａを有している。この両側壁部２１ａの上縁部の前方側（正面Ｆ側）に、垂直に立ち上がる２つの連結片２２が連結されている。この連結片２２には、略中央位置に上下方向に開口する長孔２２ａが設けられていると共に、連結片２２の前方側（正面Ｆ側）には、支柱３の固定に寄与する止め辺２２ｂが構成されている。因みに、脚部材２１の連結片２２より後方側に、前記したカバー材２３が設けられる。
【００４７】
折り畳み機構を構成する支柱３の外側部材３０は、図８（Ａ）に示すように、立設状態において前記脚部材２１の止め辺２２ｂに引っ掛かって支柱３の動作を固定する突起部３０１を有している。つまり、外側部材３０の突起部３０１と連結片２２の止め辺２２ｂとにより、スタンド１の立設状態を保持するロック部が構成される。
【００４８】
また、前記外側部材３０には、立設状態において前記２つの連結片２２の各長孔２２ａ内に挿通された回転軸３０２を有している。外側部材３０の回転軸３０２は、上記したように連結片２２の上下方向に延在する長孔２２ａ内に配置されているので、図８（Ｂ）に示すように、支柱３（外側部材３０）を長孔２２ａの開口範囲内で上方へ移動させることが可能となる。支柱３を持ち上げて回転軸３０２を長孔２２ａの上端部へ移動させると、図示のように前記した突起部３０１が止め辺２２ｂから外れて固定状態が解除される。つまり、外側部材３０の回転軸３０２と連結片２２の長孔２２ａとにより、スタンド１の立設状態を解除する解除部が構成される。
【００４９】
上記した解除部により、スタンド１の立設状態が解除可能になると、図８（Ｃ）に示すように、回転軸３０２を支点にして支柱３を図示では右方向に倒すことで、スタンド１を折り畳むことができる。因みに、前記カバー材２３の上面には支柱３を折り畳んだときに支柱３の後方側側面と当接される緩衝材２３ａが設けられていることが好ましい。また、止め辺２２ｂは直線状に立ち上がっているが、所定の高さ位置に段部を設けて実施しても良い。
【００５０】
スタンド１を折り畳んだ状態の一例を図９に示した。図示の通り、折り畳まれたスタンド１は、非常にスリムであるため運搬効率が向上する。
【００５１】
特に説明することは省略したが、スタンド１を折り畳む際の準備工程として、電子黒板装置１００を取り外すことは勿論の事、前記した棚部９を折り畳んで支柱３の奥行き内に収めておくことが求められる。また、基部２と支柱３との間をつなぐ前記した補強金具１４も取り外しておくことが求められる。
【００５２】
＜転倒防止金具＞
次に車輪１１の近傍位置に取付けた転倒防止金具１５、１６について説明する。
スタンド１は、安全の為に例えば全質量の２０％を付加したときに前方に転倒しないことが好ましい。例えば重量の異なる様々な電子黒板装置１００を懸架するためには、重量のある電子黒板装置１００を懸架した際の転倒を避ける構成を有している必要がある。そのために、支柱３の傾斜角度を更に鋭角にすることが考えられるが、そうすると支柱３の下端部３ａが前方へと突き出てしまうため、操作時に突き出た下端部３ａが邪魔になり、操作者が足をぶつけてしまう危険が生じる（例えば図４参照）。したがって、重量の異なる様々な表示装置（電子黒板装置１００）に対応するために、転倒防止金具１５又は１６を取り付けて実施することが好ましい。
【００５３】
転倒防止金具１５は、支柱３の下端部にそれぞれ設けられ、転倒防止金具１６は、基部２の後端部にそれぞれ設けられることが好ましい。ここで、転倒防止金具１５と、転倒防止金具１６とをそれぞれ分けて説明する。
【００５４】
図１０には支柱３の下端部に設けられる転倒防止金具１５を示した。図１０（Ａ）は、転倒防止金具１５の設置状態を示した図である。図１０（Ｂ）は、転倒防止金具１５を解除した状態を示した図である。
【００５５】
転倒防止金具１５は、連結プレート１５０と、高さ調整ネジ１５１とで構成されている。連結プレート１５０は、上部に支柱３の下端部に形成された溝部３２０内に差し込まれる連結部１５０ａと、下部に高さ調整ネジ１５１を支持するネジ孔を有するフランジ部１５０ｂと、前記連結部１５０ａとフランジ部１５０ｂの間を連結する繋ぎ部１５０ｃを有している。因みに、連結部１５０ａは、支柱３の溝部３２０内に設けられた軸部３２１により、左右方向の回転が可能に連結されている。
【００５６】
高さ調整ネジ１５１は、フランジ部１５０ｂのネジ孔にねじ込まれるネジ部１５１ａと、ネジ部１５１ａの下端部に取り付けられた床面Ｇに対して水平力を伝達するフランジ部１５１ｂとを有している。したがって、転倒防止金具１５を設置する際には、高さ調整ネジ１５１を回転させてフランジ部１５１ｂを下方に下げ、当該フランジ部１５１ｂを床面Ｇに押し付けることで、スタンド１の安定性を確保できる。
【００５７】
スタンド１を折り畳む際、またこの転倒防止金具１５を必要としない場合には、図１０（Ｂ）のように解除することができる。因みに、スタンド１を折り畳む際の転倒防止金具１５の動作は図８にも簡単に記載している。
【００５８】
即ち、前記した連結プレート１５０の連結部１５０ａは、上記したように左右方向の回転が可能に連結されている。したがって、解除する際には、高さ調整ネジ１５１を逆回転させてフランジ部１５１ｂを上方へ移動させ、軸部３２１を支点にして左右何れかの方向に回転させれば良い。図示例では右側へ回転させた場合を示した。
【００５９】
図１１には基部２の後端部に設けられる転倒防止金具１６を示した。図１１（Ａ）は、転倒防止金具１６の設置状態を示した図である。図１１（Ｂ）は、転倒防止金具１６を解除した状態を示した図である。
転倒防止金具１６は、連結プレート１６０と、高さ調整ネジ１６１とで構成されている。連結プレート１６０は、基部２の後方側（背面Ｂ側）の下面から突き出るように設けられた接続プレート２４と連結される連結部１６０ａと、高さ調整ネジ１５１を支持するネジ孔を有するフランジ部１６０ｂとを有している。
連結プレート１６０の連結部１６０ａと接続プレート２４とは、軸部２５により連結プレート１６０が左右方向に回転可能に連結されている。
【００６０】
高さ調整ネジ１６１は、上記した高さ調節ネジ１５１と同じであり説明は省略する。したがって、転倒防止金具１６を設置する際には、高さ調整ネジ１６１を回転させてフランジ部１６１ｂを下方に下げ、当該フランジ部１６１ｂを床面Ｇに押し付けることで、スタンド１の安定性を確保できる。
【００６１】
スタンド１を折り畳む際、またこの転倒防止金具１６を必要としない場合には、図１１（Ｂ）のように解除することができる。
即ち、前記した連結プレート１６０の連結部１６０ａは、上記したように左右方向の回転が可能に連結されている。したがって、解除する際には、高さ調整ネジ１６１を逆回転させてフランジ部１６１ｂを上方へ移動させ、軸部２５を支点にして左右何れかの方向に回転させれば良い。図示例では右側へ回転させた場合を示した。
【００６２】
上記してきたように、本発明に係るスタンド１は、一対の基部と、当該基部の前方両端部から後方に傾斜する様態で立設する支柱とを基本構成としている。したがって、スタンド１の全体形状は非常に小型であり小さなスペースに設置することができる。また、支柱が後方へ傾斜する様態で立設されているので、電子黒板装置が懸架された際に、当該電子黒板装置の前に邪魔な部材が存在しない構成を実現できる。斯すると、電子黒板装置の前に立って操作しやすく且つ安全性も確保できる。
【００６３】
また、基部の後方側に重量部を設ける構成とした。したがって、スタンド１の重心を常に後方側に置くことができ、懸架する電子黒板装置の高さ位置を例えば上方に調整した際にも、安定性を確保できる。更に云うと、重量部は、基本的には基部の補強枠材として構成される部材から成るため、特別な専用部材が必要なくシンプルな構造で実施できる。
【００６４】
本発明に係るスタンド１は、転倒防止用金具を備える構成とした。したがって、重量の異なる様々な表示装置に対応でき汎用性が高い。
【００６５】
以上、図面を用いて本発明の実施形態を詳細に説明した。なお、上記の記載は、実施形態を理解するためのものであり、実施形態の範囲を限定するものではない。また、上記の複数の実施形態は、相互に排他的なものではない。したがって、矛盾が生じない限り、異なる実施形態の各要素を組み合わせることも意図しており、特許請求の範囲に記載された開示の技術の要旨の範囲内において、種々の変形、変更が可能である。
【符号の説明】
【００６６】
１          スタンド
２          基部
２００      重量部
４          前方横架材
５          後方横架材
３          支柱
８          支持部
９          棚部
１０        パネル材
１１        車輪
１２        パッキン
１３        クランプ
１４        補強金具
１５、１６  転倒防止金具
【先行技術文献】
【特許文献】
【００６７】
【特許文献１】特開２０１１−１０４９１１号公報
【特許文献２】特開２００１−８７０６７号公報
【図１】
0006539952.tif 000002
【図２】
0006539952.tif 000003
【図３】
0006539952.tif 000004
【図４】
0006539952.tif 000005
【図５】
0006539952.tif 000006
【図６】
0006539952.tif 000007
【図７】
0006539952.tif 000008
【図８】
0006539952.tif 000009
【図９】
0006539952.tif 000010
【図１０】
0006539952.tif 000011
【図１１】
0006539952.tif 000012